(57)【要約】      （修正有）【課題】排気口を大きくできるプロジェクターの排気口シャッター装置を提供する。【解決手段】収納部３０内から排気口２３の第１の位置まで、第１の位置から第２の位置まで移動可能に設けられ、端面にラックが形成された第１のドア２１と、収納部３０内から排気口２３の第１の位置まで移動可能に設けられ、端面にラックが形成された第２のドア２２と、ラックに噛合可能なピニオン３４と、該ピニオン３４を回転駆動する駆動モーター２４と第１のドア２１を第１の位置付近で第２のドア２２に接離する方向に移動させるガイド部を具備し、第１のドア２１と第２のドア２２とには第１のドア２１が第２のドア２２に接近した際に相互に係合する係合部が設けられ、第１のドア２１および第２のドア２２が収納部３０内に位置する際、ピニオン３４が第１のドア２１のラックに噛合し、第２のドア２２のラックには噛合しないように両ラックが形成。【選択図】図３
2012042603.tif 000002
【特許請求の範囲】
【請求項１】
プロジェクターの排気口に取り付けられる排気口シャッター装置であって、
収納部内から排気口の第１の位置まで、さらに該第１の位置から排気口の第２の位置まで移動可能に設けられるとともに、端面にラックが形成された第１のドアと、
前記収納部に前記第１のドアと並列に収納可能であり、収納部内から排気口の第１の位置まで移動可能に設けられるとともに、端面にラックが形成された第２のドアと、
前記第１のドアおよび第２のドアのラックに噛合可能なピニオンと、
該ピニオンを回転駆動する駆動モーターと、
前記第１のドアを前記第１の位置付近で、前記第２のドアに接離する方向に移動させるガイド部を具備し、
前記第１のドアと前記第２のドアとには、前記第１のドアが前記第２のドアに接近した際に相互に係合する係合部が設けられ、
前記第１のドアおよび第２のドアが前記収納部内に位置する状態において、前記ピニオンが前記第１のドアのラックに噛合し、前記第２のドアのラックには噛合しないように両ラックが形成されていることを特徴とする排気口シャッター装置。
【請求項２】
第１のドアに、移動方向に前後して２個のガイドピンが設けられ、
ガイド部に、前記第１のドアの２個のガイドピンがそれぞれ進入して案内される２つのガイド溝が形成され、
該それぞれのガイド溝が、
前記第１のドアが、第２のドアとは離反した状態で、収納部内に位置する位置と第１の位置との間を移動するのをガイドする直線状のガイド溝と、
該第１のドアが、第２のドアに接近した状態で、第１の位置と第２の位置との間を移動するのをガイドする直線状のガイド溝と、
該両直線状のガイド溝間を斜めに連絡し、第１の位置付近で第１のドアが第２のドアに対して接離するのをガイドする斜行ガイド溝とを有することを特徴とする請求項１記載の排気口シャッター装置。
【請求項３】
第２のドアが収納部内に位置している際、該第２のドアを保持する保持部が設けられていることを特徴とする請求項１または２記載の排気口シャッター装置。
【請求項４】
係合部が、凸部と該凸部が進入可能な凹部とからなることを特徴とする請求項１〜３いずれか１項記載の排気口シャッター装置。
【請求項５】
請求項１〜４いずれか１項記載の排気口シャッター装置を備えることを特徴とするプロジェクター。
【発明の詳細な説明】
【技術分野】
【０００１】
本発明は排気口シャッター装置およびプロジェクターに関する。
【背景技術】
【０００２】
プロジェクターは、内部に水銀ランプやキセノンランプのような高圧放電ランプを光源として有しており、発熱量が大きいことから、放熱用の送風ファンを設けて冷却するようにしている。そして、高温となった空気を外部に排気する排気口が設けられる。
この排気口には、ごみ等の異物の進入を防止するため、プロジェクターの不使用時には排気口を閉塞するようにする排気口の開閉装置が設けられる。
特許文献１に示される排気口の開閉装置は、排気口を閉塞できる大きさの１枚のドアを配設し、このドアを駆動ユニットによりスライドさせて排気口を開閉する機構を採用している。
【先行技術文献】
【特許文献】
【０００３】
【特許文献１】特表２００８−５４２８１３
【発明の開示】
【発明が解決しようとする課題】
【０００４】
しかしながら、特許文献１に示される排気口の開閉装置は、１枚のドアを用いているため、ドアの収納部等の空間的配置の制約から、ドアを大きくするのには限界があり、したがって、排気口の開口幅にも自ずと限界があり、十分な放熱効果が得られないという課題がある。
そこで、本発明は上記課題を解消すべくなされ、その目的とするところは、ドアを複数枚用いることによって排気口の開口幅を大きくできる排気口シャッター装置およびこれを用いたプロジェクターを提供するにある。
【課題を解決するための手段】
【０００５】
本発明に係る排気口シャッター装置は、収納部内から排気口の第１の位置まで、さらに該第１の位置から排気口の第２の位置まで移動可能に設けられるとともに、端面にラックが形成された第１のドアと、前記収納部に前記第１のドアと並列に収納可能であり、収納部内から排気口の第１の位置まで移動可能に設けられるとともに、端面にラックが形成された第２のドアと、前記第１のドアおよび第２のドアのラックに噛合可能なピニオンと、該ピニオンを回転駆動する駆動モーターと、前記第１のドアを前記第１の位置付近で、前記第２のドアに接離する方向に移動させるガイド部を具備し、前記第１のドアと前記第２のドアとには、前記第１のドアが前記第２のドアに接近した際に相互に係合する係合部が設けられ、前記第１のドアおよび第２のドアが前記収納部内に位置する状態において、前記ピニオンが前記第１のドアのラックに噛合し、前記第２のドアのラックには噛合しないように両ラックが形成されていることを特徴とする。
【０００６】
本シャッター装置では、上記のように、第１のドア、第２のドアの２枚のドアを用いて、排気口を開閉するようにしている。２枚のドアを用い、収納部に２枚のドアが並列状態で進入（収納）できるようにしているので、収納部を小さく、かつ開口部を大きく設定できる。また、上記構造とすることで、第１のドア、第２のドアを連動させて駆動できるので、１つの駆動モーターによって駆動することが可能となる。また、部品点数を少なくでき、装置を簡易な構造のものにできる。
【０００７】
また、第１のドアに、移動方向に前後して２個のガイドピンが設けられ、ガイド部に、前記第１のドアの２個のガイドピンがそれぞれ進入して案内される２つのガイド溝が形成され、該それぞれのガイド溝が、前記第１のドアが、第２のドアとは離反した状態で、収納部内に位置する位置と第１の位置との間を移動するのをガイドする直線状のガイド溝と、該第１のドアが、第２のドアに接近した状態で、第１の位置と第２の位置との間を移動するのをガイドする直線状のガイド溝と、該両直線状のガイド溝間を斜めに連絡し、第１の位置付近で第１のドアが第２のドアに対して接離するのをガイドする斜行ガイド溝とを有することを特徴とする。
移動方向に前後して２個のガイドピンを設けて、ガイド溝内を案内させるようにしたので、第１のドアが第２のドアと平行状態を保ったまま、安定してスライド移動できる。
【０００８】
また、第２のドアが収納部内に位置している際、該第２のドアを保持する保持部が設けられていることを特徴とする。これにより、第２のドアが収納部内においてがたつくことなく安定して保持される。
また、係合部を、凸部と該凸部が進入可能な凹部とで構成することができる。
【０００９】
また本発明にかかるプロジェクターは、上記いずれかの排気口シャッター装置を備えることを特徴とする。
【図面の簡単な説明】
【００１０】
【図１】プロジェクターの外観説明図である。
【図２】本実施形態のプロジェクターの内部構成を示す模式図である。
【図３】排気口が解放状態のときのシャッター装置の説明図である。
【図４】図２で第１のガイド部を省略した状態を示す説明図である。
【図５】第１のドアが第１の位置まで移動した状態を示す説明図である。
【図６】排気口が閉塞状態のときのシャッター装置の説明図である。
【図７】ガイド部におけるガイド溝の例を示す説明図である。
【図８】第１のドアと駆動モーターとの関係を示す説明図である。
【図９】第２のドアと駆動モーターとの関係を示す説明図である。
【図１０】第１および第２のドアと駆動モーターとの関係を示す説明図である。
【図１１】第１のドアのスナップフィット構造を示す説明図である。
【図１２】排気口を閉塞する一連の動作を示す説明図である。
【図１３】排気口を開放する一連の動作を示す説明図である。
【発明を実施するための形態】
【００１１】
以下本発明の好適な実施の形態を添付図面に基づいて詳細に説明する。
図１はプロジェクター１０の外観説明図である。
プロジェクター１０は、ケーシング１２内に、光源、光学系、ＬＣＤのような映像生成手段、電源装置、各種の送風ファン等が配設されてなる。１４は投射レンズである。排気口の設置個所は特に限定されないが、本実施の形態では、ケーシング１２の側面に設けられている。また排気口にはシャッター装置２０が設けられている。シャッター装置２０の構造については後述する。
図２は、本実施形態のプロジェクター１０の内部構成を示す模式図である。
図２に示すように、プロジェクター１０は、外装を構成するケーシング１２、制御部（図示省略）、光源装置５を有する光学ユニット３、および光源装置５や制御部に電力を供給する電源装置４等を備えている。ケーシング１２内には、電源装置４や光源装置５等を冷却する冷却ファン８が配置されている。
【００１２】
制御部は、ＣＰＵ（Central Processing Unit）やＲＯＭ（Read Only Memory）、ＲＡＭ（Random Access Memory）等を備え、コンピューターとして機能するものであり、プロ
ジェクター１０の動作の制御、例えば、画像の投写に関わる制御等を行う。
【００１３】
光学ユニット３は、制御部による制御の下、光源装置５から射出された光束を光学的に処理して投写する。
光学ユニット３は、図２に示すように、光源装置５に加え、平行化レンズ３３１インテグレーター照明光学系３３２、色分離光学系３３３、リレー光学系３３４、電気光学装置３３５、投写レンズ１４、およびこれらの光学部品を光路上の所定位置に配置する光学部品用筐体３３０を備える。
【００１４】
光源装置５は、超高圧水銀ランプやメタルハライドランプ等からなる放電型の発光管６、リフレクター７を備え、光源用筐体に収納される。光源装置５は、発光管６から射出された光束をリフレクター７にて反射した後、平行化レンズ３３１に向けて射出する。
【００１５】
平行化レンズ３３１は、光源用筐体に配置され、光源装置５から射出された光束を射出方向を揃えてインテグレーター照明光学系３３２に射出する。
【００１６】
インテグレーター照明光学系３３２は、第１レンズアレイ３２１、第２レンズアレイ３２２、偏光変換素子３２３、および重畳レンズ３２４を備える。
第１レンズアレイ３２１は、光源装置５から射出された光束を複数の部分光束に分割する光学素子であり、光源装置５から射出された光束の光軸Ｌに対して略直交する面内にマトリクス状に配列される複数の小レンズを備えている。
【００１７】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００１８】
色分離光学系３３３は、２枚のダイクロイックミラー３２５，３２６、および反射ミラー３２７を備え、インテグレーター照明光学系３３２から射出された光束を赤色光（以下「Ｒ光」という）、緑色光（以下「Ｇ光」という）、青色光（以下「Ｂ光」という）の３色の色光に分離する機能を有する。
【００１９】
リレー光学系３３４は、入射側レンズ３４１、リレーレンズ３４３、および反射ミラー３４２，３４４を備え、色分離光学系３３３で分離されたＲ光をＲ光用の液晶ライトバルブ３５１Ｒまで導く機能を有する。なお、光学ユニット３は、リレー光学系３３４がＲ光を導く構成としているが、これに限らず、例えば、Ｂ光を導く構成としてもよい。
【００２０】
電気光学装置３３５は、光変調装置としての液晶ライトバルブ３５１および色合成光学装置としてクロスダイクロイックプリズム３５２を備え、色分離光学系３３３で分離された各色光を画像情報に応じて変調する。
【００２１】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００２２】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３３で分離された各色光は、液晶ライトバルブ
３５１にて変調された後、クロスダイクロイックプリズム３５２に射出される。
【００２３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００２４】
投写レンズ１４は、複数のレンズを組み合わせた組レンズとして構成され、液晶ライトバルブ３５１にて変調され、クロスダイクロイックプリズム３５２にて合成された光をスクリーン上に拡大投写する。
【００２５】
次にシャッター装置２０について説明する。    
本シャッター装置２０では、図３、図４に示すように、第１のドア２１、第２のドア２２の２枚のドアを用いて、排気口２３を開閉するようにしている。２枚のドア２１、２２を用い、収納部３０に２枚のドアが並列状態で進入（収納）できるようにしているので、収納部３０を小さく、かつ排気口２３を大きく設定できる。また、第１のドア２１、第２のドア２２の駆動は１つの駆動モーター２４によって行っている。これにより、部品点数を少なくでき、装置を簡易な構造のものにできる。
【００２６】
続いて、図３〜図１１等により、シャッター装置２０をさらに詳しく説明する。
第１のドア２１および第２のドア２２は、対向して配設され、それぞれ対向面にガイド溝が設けられた第１のガイド部２５および第２のガイド部２６に案内されて移動可能になっている。第１のガイド部２５はフレーム２７の上枠に相当し、第２のガイド部２６はフレーム２７の下枠に相当する。第１のドア２１は、具体的には、第１のガイド部２５および第２のガイド部２６のガイド溝に案内されて、図３、図４に示す収納部３０内の位置から、図５に示す収納部３０から第1のドア２１全体が露出する排気口２３の第１の位置まで移動し、さらに該第１の位置から、図６に示す第1のドア２１の端部がフレーム２７に接する排気口２３の第２の位置まで移動可能に設けられている。
【００２７】
また、第２のドア２２は、第１のガイド部２５および第２のガイド部２６のガイド溝に案内されて、収納部３０内に位置する位置から、図６に示す、第２のドア２２全体が露出する排気口２３の第１の位置まで移動可能に設けられている。
なお、収納部３０は、第１のドア２１の前面側を覆うカバー２９と、第２のドア２２の背面側を覆うカバー（図示せず）とで挟まれる空間として形成されている。
【００２８】
図４から図６に示すように、第１のドア２１および第２のドア２２の、第１のガイド部２５側の端面にそれぞれラック３１、ラック３２が形成されている。
これらラック３１、ラック３２に、第１のガイド部２５側に設けられた駆動モーター２４の回転軸に固定されたピニオン３４が噛合可能になっている。
なお、第１のドア２１、第２のドア２２が収納部３０内に位置する収納状態のときには、ピニオン３４は第１のドア２１のラック３１に噛合し、第２のドア２２のラック３２には噛合しないように、ラック３１、ラック３２が形成されている。
【００２９】
第１のドア２１の、第１のガイド部２５および第２のガイド部２６側の端面には、図８に明確に示すように、移動方向に前後して２個のガイドピン３６、３７が設けられている。なお、ガイドピン３６とガイドピン３７とは、それぞれのガイド溝が緩衝しないように、取付ステーを介して、第１のドア２１の壁面からカバー２９側に異なる距離離れた位置となるように設けられている。
これらガイドピン３６、３７は、第１のガイド部２５および第２のガイド部２６に形成
されたガイド溝４０内に進入し、ガイドピン３６、３７がガイド溝４０に案内されることによって、第１のドア２１は後記するような所要の動きをすることになる。
なお、ガイドピンとしては、ローラやベアリングであってもよい。
【００３０】
ガイド溝４０は、図７に示されるように、それぞれのガイドピン３６、３７が進入して案内される２つのガイド溝４０ａ、４０ｂに形成されている。
各ガイド溝４０ａ、４０ｂは、第１のドア２１が、第２のドア２２とは離反した状態で、収納部３０内に位置する位置と上記第１の位置との間を移動するのを案内する直線状のガイド溝４１を有する。
また各ガイド溝４０ａ、４０ｂは、第１のドア２１が、第２のドア２２に接近した状態で、第１の位置と上記第２の位置との間を移動するのを案内する直線状のガイド溝４２を有する。
さらに各ガイド溝４０ａ、４０ｂは、両直線状のガイド溝４１、４２間を斜めに連絡し、第１の位置付近で、第１のドア２１が第２のドア２２に対して接離するのを案内する斜行ガイド溝４３を有する。
【００３１】
このように、第１のドア２１は、前後２か所のガイドピン３６、３７をそれぞれガイド溝４０ａ、４０ｂでガイドするようにしたので、第２のドア２２に対して平行状態を保ったまま安定して移動される。
なお、ガイドピン３６、３７は、第１のガイド部２５および第２のガイド部２６の各側に２個ずつ設けたが、どちらかのガイド部側は１つでもよい。すなわち、合計３個あれば、第１のドア１を安定して案内できる。
なお、ガイド溝４０でなく、レール状のガイド部としてもよく、この場合、ガイドピンの代わりに車輪状のものを用いるとよい。
【００３２】
次に、第２のドア２２の、第１のガイド部２５側の端面に１つのガイドピン４５が設けられ、第２のドア２２の、第２のガイド部２６の側の端面には２つのガイドピン４５が設けられている（図９参照）。
これらの各ガイドピン４５は、第１のガイド部２５、第２のガイド部２６にそれぞれ設けられた直線状のガイド溝４６内に挿入され、第２のドア２２の移動を案内するようになっている。なお、第２のドア２２は、第２のガイド部２６側にガイドピンを設けず、直接第２のドア２２の端部がガイド溝４６内に入り込むことでガイドされるようにしてもよい。あるいは、ガイド溝でなく、レール状のガイドにすることもできる。ガイド溝４６は、ガイド溝４１、４２と平行に設けられている。
【００３３】
前記のように、第１のドア２１は、第１の位置付近まで移動した際に、ガイド溝４０ａの斜行ガイド溝４３にガイドされて、第２のドア２２方向に接離するようになっている。
第１のドア２１の、第２のドア２２に対向する壁面には、図８に示すように、所要高さを有する凸条（凸部）５０が形成されている。また、図９に示すように、第２のドア２２の、第１のドア２１に対向する壁面には、上記凸条５０が進入可能な凹溝５１が形成されている。
凸条５０と凹部５１とで係合部が構成される。なお、凸部５０を第２のドア２２側に、凹部５１を第１のドア２１側に設けてもよい。
【００３４】
次に、第２のドア２２が収納部３０内に位置しているときには、ピニオン３４がラック３２に噛合していない状態にあるので、第２のドア２２が収納部３０内で動いて、がたつくおそれがある。そこで、第２のドア２２が収納部３０内に位置している際、第２のドア２２を該位置に保持する保持部を設けている。保持部の構造としては特に限定されるものではないが、本実施の形態では、スナップフィット構造のものを採用している。すなわち、図１０、図１１に示すように、第２のドア２２の後端側に弾性変形可能な舌片５３を設
け、舌片５３の先端に係止突起５４を設け、この係止突起５４が収納部３０の奥側となるフレーム２７の縁を乗り越えて、そのテーパー面２８に係止するようにしている。係止突起５４はＲ面に形成されているので、フレーム５５の縁を前後いずれの方向へも容易に乗り越えられるようになっている。
【００３５】
続いて、図１２により、シャッター（第１のドア２１、第２のドア２２）の開閉動作について説明する。
シャッター装置２０は、プロジェクター１０が不使用時には、第１のドア２１、第２のドア２２が閉じて、排気口２３を閉塞している。したがって排気口２３の閉塞状態が常態といえるのであるが、構造上、排気口２３を閉塞する動作から先に説明した方がわかりやすいので、開から閉への移行動作から説明する。
【００３６】
プロジェクター１０の使用中には、第１のドア２１、第２のドア２２は収納部２３内に位置して排気口２３は解放されている（図１２Ａ）。
プロジェクター１０の使用が終了し、メインスイッチ（図示せず）をオフしてから所要時間経過後、図示しない制御部から、駆動モーター２４の駆動指令が出され、ピニオン３４が回転される。
【００３７】
駆動モーター２４が駆動されて、ピニオン３４が回転されることによって、第１のドア２１が収納部３０内に位置する位置から第１の位置まで移動する（図１２Ｂ）。
そして、この第１の位置付近で、ガイドピン３６、３７が斜行ガイド部４３によって案内されることから、第１のドア２１が第２のドア２２に接近して係合部が相互に係合する（図１２Ｃ）。これにより、第２のドア２２が第１のドア２１と共に移動することになる（図１２Ｄ）。
そして、その途中でピニオン３４が第１のドア２１のラック３１との噛合が外れ第２のドア２２のラック３２に噛合する（図１２Ｅ）。これによって、第２のドア２２が第１の位置まで移動すると共に、係合部が係合状態にあることから、第１のドア２１が第２のドア２２に伴われて第２の位置まで移動して排気口２３を閉塞する（図１２Ｆ、図１２G）。なお、第２のドア２２の移動開始時に、保持部におけるスナップフィットは容易にフレーム５５の縁から外れる。
図１２Ｇの、排気口２３が閉塞状態に移行された状態がセンサー（図示せず）によって検知されたら、駆動モーター２４の回転が停止される。
センサーは、光学的センサーや機械式センサーのいずれも用いることができる。
なお、この一連の制御は公知のシーケンスによって行える。
【００３８】
次に、図１３により、排気口２３を開放する場合の動作について説明する。
プロジェクター２０のメインスイッチ（図示せず）が投入されると、制御部より駆動モーター２４の駆動指令がなされ、駆動モーター２４が上記とは逆方向に回転するように駆動される。駆動モーター２４が逆方向に回転駆動されると、第２のドア２２が収納部３０方向に移動を開始する（図１３Ａ）。第２のドア２２と係合状態にある第１のドア２１も第２のドア２２に伴われて移動を開始して第１の位置まで移動する（図１３Ｂ〜図１３Ｃ）。該第１の位置付近で、ピニオン３４が第２のドア２２のラック３２との噛合が外れ第１のドア２１のラック３１に噛合する。これにより、第１のドア２１がさらに移動し、該第１のドア２１と係合状態にある第２のドア２２も収納部３０内に位置する位置まで移動する（図１３Ｄ〜図１３Ｅ）。それと共に、ガイドピン３６、３７がガイド溝４０ａ、４０ｂの斜行ガイド溝４３に案内されることによって、第１のドア２１が第２のドア２２から離れる方向に移動して係合部の係合が外れる（図１３Ｆ〜図１３Ｇ）。ラック３１にピニオン３４が噛合した第１のドア２１は収納部３０内に位置する位置まで移動し、これにより排気口２３が解放される（図１３Ｈ）。収納部３０内に位置する位置まで移動した第２のドア２２は、スナップフィット機構によって該位置に保持される。
上記排気口２３の開口も、図示しないセンサーで検知でき、検知信号が制御部に入力されて駆動モーター２４の回転が停止される。
【００３９】
なお、駆動モーター２４にステッピングモーターを用いることによって、第１のドア２１や第２のドア２２を移動の途中で停止させるよう設定することもでき、排気口２３の開口度を調整することができる。
また、プロジェクター１０の使用中、排気口２３が常に開口状態にあるかどうかセンサーによって検知し、閉塞しているなどの異常が発生している場合には、ＬＥＤランプを点灯させるなどして警告を行うようにするとよい。
【符号の説明】
【００４０】
１０  プロジェクター、２０  シャッター装置、２１  第１のドア、２２  第２のドア、２３  排気口、２４  駆動モーター、２５  第１のガイド部、２６  第２のガイド部、３０  収納部、３１  ラック、３２  ラック、３４  ピニオン、３６  ガイドピン、
３７  ガイドピン、４０  ガイド溝、４０ａ  ガイド溝、４０ｂ  ガイド溝、４５  ガイドピン、４６  ガイド溝、５０  凸条（係合部）、５１  凹溝（係合部）、５４  係止突起（保持部）
【図１】
2012042603.tif 000003
【図２】
2012042603.tif 000004
【図３】
2012042603.tif 000005
【図４】
2012042603.tif 000006
【図５】
2012042603.tif 000007
【図６】
2012042603.tif 000008
【図７】
2012042603.tif 000009
【図８】
2012042603.tif 000010
【図９】
2012042603.tif 000011
【図１０】
2012042603.tif 000012
【図１１】
2012042603.tif 000013
【図１２】
2012042603.tif 000014
【図１３】
2012042603.tif 000015